(57)【要約】【課題】優れた遮熱効果をし、特殊な保冷剤などを使用せずとも、ボックス内の温度を良好に維持することができる遮熱ボックスを提供すること。【解決手段】蓋体を備えた外箱の内部に、空隙を介して、内箱が収納された２重箱構造を有する遮熱ボックスであって、外箱の外面および／または内面に第１の遮熱塗膜層が形成されているともに、内箱の外面および／または内面に第２の遮熱塗膜層が形成されており、外箱と内箱の間には、外箱と内箱とを連結する複数の連結部が設けられており、この連結部によって、外箱と内箱との間の空隙が縦方向および／または横方向に分割されて複数の区画が形成されており、隣接する区画間の空気の流れが遮断されているものとする。【選択図】図１
2015155761.tif 000002
【特許請求の範囲】
【請求項１】
蓋体を備えた外箱の内部に、空隙を介して、内箱が収納された２重箱構造を有する遮熱ボックスであって、
外箱の外面および／または内面に第１の遮熱塗膜層が形成されているともに、内箱の外面および／または内面に第２の遮熱塗膜層が形成されており、
外箱と内箱の間には、外箱と内箱とを連結する複数の連結部が設けられており、この連結部によって、外箱と内箱との間の空隙が縦方向および／または横方向に分割されて複数の区画が形成されており、隣接する区画間の空気の流れが遮断されていることを特徴とする遮熱ボックス。
【請求項２】
外箱と内箱が、発泡スチロールで形成されていることを特徴とする請求項１または２の遮熱ボックス。
【発明の詳細な説明】
【技術分野】
【０００１】
本発明は、遮熱性を有する箱体（ボックス）に関するものである。
【背景技術】
【０００２】
特許文献１には、ボックス本体と、ボックス本体の内壁、外壁のいずれか一方、あるいは両方に設けられた断熱塗料層と、ボックス本体内に収納された保冷剤とで構成された冷凍（保冷）ボックスが記載されている。
【先行技術文献】
【特許文献】
【０００３】
【特許文献１】特開2006-214669号公報
【発明の概要】
【発明が解決しようとする課題】
【０００４】
しかしながら、特許文献１の冷凍（保冷）ボックスのように、ボックス本体の内壁、外壁に断熱塗料層を設けるだけでは、十分な遮熱効果を確保することは難く、外部からの熱がボックス本体の内部に及びやすい。したがって、特許文献１の冷凍（保冷）ボックスの場合、冷却効果の高い特殊な保冷剤や冷却システムを使用しなければ冷却効果を長時間維持することはできないため、コストを抑制することが難しく、また汎用性にも乏しいという問題がある。
【０００５】
本発明は、以上のような事情に鑑みてなされたものであり、優れた遮熱効果をし、特殊な保冷剤などを使用せずとも、ボックス内の温度を良好に維持することができる遮熱ボックスを提供することを課題としている。
【課題を解決するための手段】
【０００６】
上記の課題を解決するため、本発明の遮熱ボックスは、蓋体を備えた外箱の内部に、空隙を介して、内箱が収納された２重箱構造を有する遮熱ボックスであって、外箱の外面および／または内面に第１の遮熱塗膜層が形成されているともに、内箱の外面および／または内面に第２の遮熱塗膜層が形成されており、外箱と内箱の間には、外箱と内箱とを連結する複数の連結部が設けられており、この連結部によって、外箱と内箱との間の空隙が縦方向および／または横方向に分割されて複数の区画が形成されており、隣接する区画間の空気の流れが遮断されていることを特徴としている。
【０００７】
この遮熱ボックスでは、外箱と内箱が、発泡スチロールで形成されていることが好ましい。
【発明の効果】
【０００８】
本発明の遮熱ボックスは、優れた遮熱効果を有し、ボックス内の温度を良好に維持することができるため、特殊な保冷剤などが不要であり、安価であり、汎用性も高い。
【図面の簡単な説明】
【０００９】
【図１】本発明の遮熱ボックスの一実施形態を例示した斜視概要図である。
【図２】図１に示した遮熱ボックスの横断面概要図である。
【図３】図１に示した遮熱ボックスの縦断面概要図である。
【図４】本発明の遮熱ボックスの別の実施形態を例示した斜視概要図である。
【発明を実施するための形態】
【００１０】
図１は、本発明の遮熱ボックスの一実施形態を例示した斜視概要図である。図２は、図１に示した遮熱ボックスの横断面概要図である。図３は、図１に示した遮熱ボックスの縦断面概要図である。
【００１１】
図１、図２に例示したように、遮熱ボックス１は、蓋体２１を備えた外箱２の内部に、空隙を介して、内箱３が収納されている。したがって、遮熱ボックス１は、外箱２と内箱３による２重箱構造を有している。遮熱ボックス１に収納すべき物品は内箱３の内部に収納可能とされている。
【００１２】
外箱２と内箱３の材料は、特に限定されず、例えば、発泡スチロール、ダンボール、プラスチックなどの材料を例示することができるが、発泡スチロールは、軽量で、安価で、遮熱性に優れるため特に好ましい。
【００１３】
外箱２は、蓋体２１とボックス本体２２から構成されている。蓋体２１は、ボックス本体２２の上端部に着脱自在であり、外箱２の内部を密閉可能とされている。蓋体２１のその他の形態としては、例えば、ボックス本体２２に対しては開閉自在なものを例示することができる。
【００１４】
内箱３の大きさは外箱２よりも一回り小さく形成されており、内箱３の外周面と外箱２の内周面との間には全周に亘って空隙が形成されている。内箱３と外箱２のボックス本体２２の高さ（縦長さ）は略等しく形成されているため、内箱３の底部は外箱２の底部と当接し、また、内箱３の上端部は外箱２の蓋体２１と当接可能とされている。
【００１５】
外箱２と内箱３の間には、外箱２と内箱３とを連結する複数の連結部４が設けられている。連結部４は縦方向に長尺な形状であり、外箱２と内箱３の間の空隙において、外箱２のボックス本体２２の底面から上端部まで達している。このため、蓋体２１を装着した際には、蓋体２１と連結部４の上端部とが当接する。したがって、連結部４によって、外箱２と内箱３との間の空隙が縦方向（垂直方向）に分割され、隣り合う連結部４の間に空気を内包する区画Ｓが形成されている。この区画Ｓは遮熱ボックス１の周方向に沿って複数形成されており隣接する区画Ｓ間における空気の流れが連結部４によって遮断されている。
【００１６】
さらに、図３に例示したように、遮熱ボックス１の外箱２の外面および内面には、第１の遮熱塗膜層５が形成されており、内箱３の外面には第２の遮熱塗膜層６が形成されている。
【００１７】
第１、第２の遮熱塗膜層５,６は、公知の遮熱塗料を塗布することで形成することができる。具体的には、遮熱塗料は、水性塗料、有機溶媒型塗料、粉体塗料のいずれの形態であってもよいが、溶媒又は分散媒を含む液状塗料であることが望ましい。例えば、遮熱塗料は、ビヒクルと、ビヒクルを溶解又は分散する液状媒体と、金属粉末とを含むことができる。
【００１８】
ビヒクルとしては、アクリル樹脂、ポリ酢酸ビニル樹脂、塩化ビニル樹脂、塩化ビニリデン樹脂、熱可塑性エラストマなどの熱可塑性樹脂、ＢＲ、ＳＢＲ、ＮＢＲ、ＣＲ、ＥＰＤＭ、フッ素ゴムなどのゴム類など、溶媒又は分散媒が蒸発することで被膜を形成するものを用いることができる。場合によっては、ポリオールとイソシアネートからなるウレタン樹脂、フェノール樹脂、エポキシ樹脂、などの熱硬化性樹脂を用いることもできる。
【００１９】
ビヒクル及び液状媒体としては、水系エマルジョンを用いることが特に好ましい。水系エマルジョンとしては、アクリルエマルジョン、シリコンアクリルエマルジョン、ウレタンエマルジョン、ウレタンアクリルエマルジョン、ＳＢＲエマルジョン、エポキシエマルジョンなどが例示され、また、水ガラス、コロイダルシリカなどの無機バインダも用途に応じて各種選択して用いることができる。
【００２０】
金属粉末は、熱反射性を有するものであって、チタン、アルミニウム、金、銀、インジウム、銅およびこれらの酸化物などの粉末が例示される。また、厳密な意味では金属ではないが、本発明では、表面に金属光輝層を形成し熱反射性を有する、シリカ、ガラス、マイカ、タルクなどの粉末も金属粉末に含むものとする。金属粉末の形状は特に限定されないが、例えば、球状、鱗片状などの形状を例示することができる。さらに、遮熱性を確保するためには、金属粉末は、遮熱塗料中に２０質量％以上含まれていることが好ましい。
【００２１】
好ましい遮熱塗料５１としては、具体的には、遮熱効果に加え、抗菌・消臭効果に優れたものとして、高圧ガス工業株式会社製（発売元n-tech株式会社）「Blue on Tech」などを例示することができる。
【００２２】
塗布される第１、第２の遮熱塗膜層５,６の厚さは、特に限定されず、遮熱効果を考慮して適宜設計することができる。一応の目安としては、例えば、１０μｍ〜４００μｍ程度の範囲を例示することができる。また、遮熱塗料の塗布方法も特に限定されず、スプレーによる吹き付けや、ローラーによる塗布などを行うことができる。
【００２３】
このように、遮熱ボックス１は、外箱２と内箱３とを連結する複数の連結部４が設けられているため、外箱２と内箱３とが一体的であり、遮熱ボックス１の強度が向上している。さらに、この連結部４によって、外箱２と内箱３との間の空隙が分割されて空気を内包する複数の区画Ｓが形成されているこのため、区画Ｓによる空気の層によって外部からの熱が及びにくく遮熱性に優れている。また、各区画Ｓは空気の流れが遮断されているため、保冷効果がさらに高まっている。
【００２４】
さらに、図３に例示したように、遮熱ボックス１は、外箱２に第１の遮熱塗膜層５が２層、内箱３に第２の遮熱塗膜層が１層形成されているため、合計３層の遮熱塗膜層によって外部からの熱を遮断することができ、遮熱性がさらに向上している。
【００２５】
図４は、本発明の別の実施形態を例示した斜視概要図である。図１〜図３を用いて説明した実施形態と共通する部分には同一の符号を付し、以下では説明を省略する。図４では、蓋体の図示は省略している。
【００２６】
この実施形態では、遮熱ボックス１の外箱２と内箱３の間には、縦方向の中央付近において、周方向の全周に亘って連結部４が設けられており、外箱２と内箱３とが連結されている。したがって、連結部４によって、外箱２と内箱３との間の空隙が横方向（水平方向）に上下に分割され、連結部４によって空気を内包する区画Ｓが上下に形成されている。この形態においても、上下の区画Ｓ間における空気の流れは遮断されているため、遮熱性、保冷性に優れている。
【００２７】
このように、本発明の遮熱ボックスは、優れた遮熱効果を有し、ボックス内の温度を良好に維持することができるため、特殊な保冷剤や冷却システムなどが不要であり、安価であり、汎用的である。そして、本発明の遮熱ボックスは、従来の発泡スチロールなどと比較して遮熱性が格段に向上しているため、例えば、特に高い遮熱性が求められる各種の物品の収納、輸送に有効な箱体として好適に利用することができる。
【００２８】
本発明の遮熱ボックスの使用例としては、例えば、遮熱ボックスの内箱に、汎用の保冷材（氷）などとともに生鮮食品などを入れることなどが例示される。これによって、外部からの熱を確実に遮断することができるため、遮熱ボックスの内部の温度を長時間低温に保つことができ、生鮮食品などの鮮度が良好に維持される。したがって、本発明の遮熱ボックスを利用することで、例えば、従来、保冷車を使用して輸送していた貨物を、通常の貨物車両で輸送することができるため、輸送コストのカット、輸送の効率化が図られる。
【００２９】
また、本発明の遮熱ボックスは、家庭用や業務保管用の簡易的な冷蔵庫などとしても利用することができる。
【００３０】
本発明の遮熱ボックスは、以上の実施形態に限定されるものではない。例えば、連結部の形状、数、配置などは、遮熱ボックスの強度や遮熱性を考慮して適宜設計することができる。連結部は、例えば、外箱と内箱との間の空隙を縦方向および横方向に分割する格子状のものであってもよい。また、外箱と内箱の間には、遮熱のボックスの上側、下側において空隙および連結部が設けられていてもよい。さらに、連結部は、外箱、内箱と一体であっても別体であってもよい。
【００３１】
また、外箱の第１の遮熱塗膜層は、内面、外面のうちいずれか一方に形成されていてもよく、内箱の第２の遮熱塗膜層は、内面、外面の両方に形成されていてもよい。したがって、遮熱ボックスは、最大で４層の遮熱塗膜層を有することができ、この場合には遮熱効果はさらに向上する。
【００３２】
また、蓋体は、ヒンジなどを介した回動によって開閉自在なものとすることもできる。
【実施例】
【００３３】
以下、実施例により本発明をさらに詳しく説明するが、本発明はこれらの実施例に何ら限定されるものではない。
＜１＞遮熱効果の確認実験
（１）図１に例示した形態の遮熱ボックスについて、遮熱効果の確認実験を行った。
【００３４】
＜実施例１＞
図１に例示した二重箱構造を有し、連結部を備えた発泡スチロール製の遮熱ボックスの内箱の外面および外箱の内面に遮熱塗料を塗布した。
【００３５】
遮熱塗料は、高圧ガス工業株式会社製（発売元n-tech株式会社）「Blue on Tech」を使用した。この遮熱塗料は、優れた遮熱効果に加え、酸化チタンおよびシリカの配合による、有機物分解作用、抗菌作用を有し、また、金属イオン配合および銀系統の無機物微粒子の配合によってその抗菌性がさらに向上している。このような優れた抗菌作用を有することから、雑菌の繁殖を防ぎ、消臭効果があるため、衛生面でも優れた遮熱ボックスとなる。
【００３６】
＜実施例２＞
実施例１と同様の二重箱構造を有し、連結部を備えた発泡スチロール製の遮熱ボックスの内箱の外面および外箱の内面、外面にも遮熱塗料を塗布した。遮熱塗料は実施例１と同じものを使用した。
【００３７】
＜比較例１＞
連結部を備えておらず、遮熱塗料の塗布も行っていない、通常の発泡スチロール箱を使用した。
（２）上記の実施例１、２の遮熱ボックスよび比較例１の発泡スチロール箱のそれぞれの内部に１０００ｇの氷を入れて密封し、外部からヒーターによる熱を均等に加えて、（遮熱）ダンボール箱の外側をおよそ２５℃に加温し、所定時間経過後に残存する氷の量を測定した。
【００３８】
＜２＞結果
結果を表１に示す。
【００３９】
【表１】
2015155761.tif 000003
【００４０】
表１に示したように、比較例１の発泡スチロール箱では、３４．８％の氷が解けてしまい、残った氷は少なかった。
【００４１】
一方、実施例１の遮熱ボックスでは、７２０ｇの氷が残存しており、溶けた氷の量を２８％に抑えることができた。したがって、連結部によって形成された区画に保持されている空気と、内箱の外面および外箱の内面に塗布した遮熱塗料によって優れた遮熱効果が発揮されることが確認された。
【００４２】
さらに、実施例２の遮熱ダンボールでは、実施例１よりもさらに多くの氷が残存していた（７２６ｇ）。したがって、外箱の外面にも遮熱塗料を塗布することでさらに遮熱効果が向上することが確認された。
【符号の説明】
【００４３】
１    遮熱ボックス
２    外箱
２１  蓋体
３    内箱
４    連結部
５    第１の遮熱塗膜層
６    第２の遮熱塗膜層
Ｓ    区画
【図１】
2015155761.tif 000004
【図２】
2015155761.tif 000005
【図３】
2015155761.tif 000006
【図４】
2015155761.tif 000007